(57)【要約】【技術課題】ジッパーを袋の口内に取り付けた際に、このジッパーの開放を、特に指先の不自由な人や高齢者あるいは指先が濡れていても簡単に行うことができる袋用ジッパー及びこのジッパー付包装用袋を提供する。【解決手段】オス条１２とメス条２２から成る咬合部１ａをプラスチック製のベーステープ１１、２１の表面にそれぞれ形成した袋用ジッパー１において、前記オス条１２又はメス条２２の上方であって、前記ベーステープ１１又は２１の表面に、リブ１３を形成する。このように、リブ１３を形成すると、包装用袋２の開口部３１が少し開き気味となることから、ここから指先４０、４１を容易に差し入れることができる。そして、指先４０をリブ１３に引っ掛け、一方の指先４１を中まで深く差し入れることにより、容易にジッパー１を開封できる。また、リブ１３により、咬合部１ａに作用する負荷が軽減されるため、密閉性が向上する。【選択図】図４
2007119037.tif 000002
【特許請求の範囲】
【請求項１】
オス条とメス条から成る咬合部をプラスチック製ベーステープの表面に形成した袋用ジッパーにおいて、前記オス条又はメス条の上方であって、前記ベーステープの表面に、リブを形成して成ることを特徴とする袋用ジッパー。
【請求項２】
前記リブは、オス条又は及びメス条と平行であって、一直線状に連続して、又は断続して形成されていることを特徴とする請求項１に記載の袋用ジッパー。
【請求項３】
前記リブの本数は、１条又は複数条であることを特徴とする請求項２に記載の袋用ジッパー。
【請求項４】
前記リブは、ベーステープの上端との距離を１．０ｍｍ以上離して形成されていることを特徴とする請求項１に記載の袋用ジッパー。
【請求項５】
前記請求項１乃至請求項４に記載した何れかの袋用ジッパーを、その開封口内に取り付けて成ることを特徴とする包装用袋。
【発明の詳細な説明】
【技術分野】
【０００１】
本発明は、オス条とメス条を咬合させて袋の口を閉じることができる袋用ジッパー及びこのジッパーを取り付けて成る包装用袋に関するものである。
【背景技術】
【０００２】
ジッパーをその開口部内に取り付けた包装用袋は、オス条、メス条を咬合することにより内容物が漏れ出ないように密閉収納することができ、かつ、容易に開封して内容物を取り出すことができることから、食品分野をはじめ、医薬品、電子部品など幅広く使用されている。
このジッパー付袋の一例を図５に示す。この図５において、１００は、袋１０５の口１０６内に取り付けられたジッパーであって、このジッパー１００は、ジッパーテープ１０１と１０２の表面にオス条１０３とメス条１０４を形成した構成である。
従来、上記したジッパー付袋１０５から内容物を取り出す際には、ジッパー１００の咬合部１００′の上方において袋１０５を切開した開口部１０８の部分を図６に示すように指先１１０で押し開き、ここから中に指先１１０を入れて咬合部１００′を左右に開放している。図５において、１０７は開封ノッチ部、１０９は袋１０５のサイドシール部である。
【発明の開示】
【発明が解決しようとする課題】
【０００３】
しかしながら、開封する際に、袋１００の開口部１０８を左右に引っ張って開けようとすると、開封時に咬合部１００′全体に力が掛かる為、開封するのに思いのほか大きな力を必要とする。また、袋１０５内に指先１１０を差し入れて開こうとしたとき、図６に示すように、袋１０５の開口部１０８はサイドシール１０９の影響もあって表、裏のフィルムが密着しているため、指先１１０を入れるきっかけが探しづらく、苦労することがある。
このような問題は、指先１１０が自由な人でも起こり易い問題であるが、特に指先１１０の不自由な人、あるいは高齢の人にはなお不自由な場合が多い。また、指先１１０が濡れているような際は、なおさら開けるのが不自由である。
【０００４】
そこで、特開２００２−１９３２８１号公報には「柔軟なフィルムより成り、上端側に取出口６を有するとともに互いに対向する一対の側壁７、８を有する袋体１と、取出口６を開閉自在に密封するためのジッパー２とを備え、ジッパー２が、袋体１の一方の側壁７の内面を横断するように設けられた凸条１３と、袋体１の他方の側壁８の内面を横断するように設けられ、凸条１３に係脱自在に係合する凹条１４とを有するジッパー付き包装袋であって、一対の側壁７、８の上部にそれぞれツマミ部３、４を設け、これらのツマミ部３、４を互いに離反する方向に引っ張ると凸条１３と凹条１４の係合が解除するように成したことを特徴とする」ジッパー付き包装袋が提案されている。
しかし、この方法によると、製造にコストがかかるばかりでなく、ツマミ部３、４が目障りとなって商品価値を下げてしまう欠点がある。
【０００５】
本発明の目的は、オス条とメス条から成る咬合部を形成したジッパーにおいて、これを袋の開口部内に取り付けた際に、このジッパーの開放を、特に指先の不自由な人や高齢者あるいは指先が濡れていても簡単に行うことができると共に、袋の密閉性が良好な袋用ジッパー及びこのジッパー付包装用袋を提供することにある。
【課題を解決するための手段】
【０００６】
上記目的を達成するため、請求項１に記載の発明においては、オス条とメス条から成る咬合部をプラスチック製ベーステープの表面に形成した袋用ジッパーにおいて、前記オス条又はメス条の上方であって、前記ベーステープの表面に、リブを形成して成ることを特徴とするものである。
【０００７】
更に、請求項２に記載の発明においては、請求項１に記載の袋用ジッパーにおいて、前記リブは、オス条又は及びメス条と平行であって、一直線状に連続して、又は断続して形成されていることを特徴とするものである。
【０００８】
更に、請求項３に記載の発明においては、請求項２に記載の袋用ジッパーにおいて、前記リブの本数は、１条又は複数条であることを特徴とするものである。
【０００９】
更に、請求項４に記載の発明においては、請求項１に記載の袋用ジッパーにおいて、前記リブは、ベーステープの上端との距離を１．０ｍｍ以上離して形成されていることを特徴とするものである。
【００１０】
更に、請求項５に記載の発明においては、包装用袋において、前記請求項１乃至請求項４に記載した何れかの袋用ジッパーを、その開封口内に取り付けて成ることを特徴とするものである。
【発明の効果】
【００１１】
本発明は以上のように、袋用ジッパーにおいて、そのベーステープのオス条又はメス条の上方に、開封時に指先を引っ掛けるためのリブを形成した。この結果、次の効果を奏する。
１．切開した袋の口側から指先を差し入れたときに、リブにこの指先が引っ掛かる。一    方、リブの無い側においては、引っ掛かるものが無いために、咬合部を越えて中まで    指先を差し込むことができる。
この結果、指先の不自由な人や高齢者あるいは指先が濡れていても簡単にジッパー    を開放することができる。
２．ベーステープにおいて、咬合部の上方にリブが形成されているため、このリブの突    出した分、ジッパーを閉じても反対側のベーステープとの間に距離が確保される。
この結果、袋をカットした袋の切り口部分において、表裏のフィルムが密着せず、    隙間ができることから、従来であると、袋の切り口が密着していて、指先を切り口内    に差し入れるきっかけがつかめなかったり、時間がかかると云った不便さがあったが    、これも無くなる。
３．咬合部に沿ってリブが形成されているため、このリブが咬合部にかかる負荷を軽減    し、咬合部の密閉効果を高めることができる。
【発明を実施するための最良の形態】
【００１２】
本発明に係る袋用ジッパーは、オス条とメス条が咬合し合う構成であり、このオス条又はメス条の上方には、オス条又はメス条と同一面であって、このオス条又はメス条の上方に形成された凸状のリブから成る。このリブは、オス条又はメス条と平行であり、一直線状に連続して、又は断続して形成されている。ベーステープは、テープ状を呈し、袋との間にヒートシール可能な樹脂が素材として用いられている。咬合部材としてのオス条とメス条とでは、形状が異なり、オス条の場合には、例えば、その形状は、断面スペード形であり、メス条の場合には、例えば、断面Ｃ字状を呈し、これらオス条とメス条は、その正面において互いに咬合し合うようになっている。
更に、リブはベーステープの表面から線状に突き出た部分であり、その断面の形状は、丸みを帯びていても、角張っていてもよい。
【００１３】
これらオス条とメス条が一対となって、袋用ジッパーの咬合部となる。この咬合部は、プラスチックの複合フィルムをテープ状に加工したベーステープの表面に、オス条、メス条および、リブを金型（ダイス）を用いて押出し成形により製造する。もしくは、金型を用いて、オス条、メス条およびリブを同時に押出し成形することにより製造される。同時にその場合は、リブはオス条、メス条のどちらか一方の上方に形成される。
【００１４】
袋用ジッパーの材質としては、先出のベーステープには、ＬＬＤＰＥ（直鎖状低密度ポリエチレン）、ＬＤＰＥ（低密度ポリエチレン）、ＰＰ（ポリプロピレン）等の複合フィルムを用いたり、もしくは、その中間層に延伸ＰＥＴ（ポリエチレンテレフタレート）、延伸ナイロン、ＯＰＰ（延伸ポリプロピレン）等を貼合したフィルムを用いることができる。その際のオス条、メス条及びリブ形成用の材質としては、ベーステープ側と融着性を有する、ＬＬＤＰＥ、ＬＤＰＥ、もしくはＰＰ樹脂を用いることができる。
また、金型を用いてベーステープとオス条、メス条及びリブを同時に押出し成形する場合、その樹脂は、ＬＬＤＰＥ、ＬＤＰＥやＰＰもしくはその混合樹脂、もしくは、複合樹脂も用いることができる。
【００１５】
このような本発明によれば、リブがオス条もしくはメス条のどちらか一方に形成されていることで、開封時に、指をオス条、メス条それぞれのベーステープ間に差し入れる際に、リブがある側に片方の指先が容易に引っ掛かり、かつ、リブが無い方は咬合部付近まで指先を深く差し入れることでつまみ部分が広く取れ、開封を容易になすことができる。
以上において、前記オス条およびメス条の前記リブの本数は、数本であってもかまわないが、１本であることがより好ましい。これは、左右どちらかの指にリブがかかり、かつ、リブなし側には十分な、掴みしろが確保されていることで、より小さな力で開封が可能となるからである。
【００１６】
また、前記リブは、オス条またはメス条のどちらか一方の上方部に配置される際に、リブとオス条又はメス条との距離は、１．０〜２０．０ｍｍが好ましい。１．０ｍｍ未満の場合は、オス条又はメス条とリブ間の距離が短すぎて、指に引っ掛かるリブの部分が小さすぎて力が入らない。
また、２０．０ｍｍより大きい場合には、リブとオス条又はメス条との距離が長すぎて開口時に力が分散し、開封しづらくなる。
【００１７】
また、前記リブの高さは０．１ｍｍ〜２．０ｍｍ、幅は０．１ｍｍ〜２．０ｍｍであることが好ましい。リブの高さ及び幅が０．１ｍｍ未満である場合には、指にリブが引っ掛かりにくい場合がある。また、リブの高さ及び幅が２．０ｍｍより大きい場合には、開封時に指を入れる際の邪魔になったり、製袋時のサイドシールのつぶしが容易にできなかったりする場合がある。したがって、リブの高さ及び幅が０．１〜２．０ｍｍの範囲内であるならば、開封時に指が入れやすく、かつ、開封しやすいジッパー袋を提供することができる。
【実施例】
【００１８】
以下、本発明の実施例を図面に基づいて詳細に説明する。
図１には、本発明の実施例に係る咬合部１ａ付のジッパー１が示されている。咬合部１ａ付のジッパー１は、対となるオス条１２とメス条２２から構成されている。オス条１２はオス側ベーステープ部１１をベースとしている。このベーステープ部１１には、同一面上にリブ１３が形成されている。オス条１２は、断面はスペード形部分が連続した形状である。また、リブ１３は突起状の部分である。図１（Ａ）のように、オス条１２側にリブ１３がある場合は、メス条２２側にリブ１３を設けない。逆に、図１（Ｂ）のように、メス条２２側にリブ１３がある場合は、オス条１２側にリブ１３を設けない。
【００１９】
図２は、ジッパー付き包装用袋であり、ジッパー１と、包装用袋シート３０にて構成されている。包装用袋シート３０は、単一プラスチックフィルムもしくは、複数のプラスチックフィルムの組み合わせで構成され、内面側には、ジッパー１とヒートシール可能なポリエチレンやポロプロピレンフィルムが配置されている。ジッパー１は、包装用袋シート３０の一辺側にヒートシールで融着され、かつ、そのリブ１３がオス条１２及びメス条２２よりも外側になるように融着される。そして、ジッパー１がそれぞれ融着された２枚の包装用袋シート３０は、リブ１３は包装用袋２の開口部３１側に位置し、残り３辺は、ヒートシールで融着され、封止されている。
また、図３で示されるように、包装用袋２は、開口部３１側より袋内面にリブ１３、オス条１２及びメス条２２の順に位置している。さらに、開口部３１を除く３辺である封止部３２はヒートシールで封止されている。
【００２０】
図４は包装用袋２の開封時の様子を示している。包装用袋２の開口部３１内に指先４０、４１を入れ、ジッパー１のリブ１３に片側の指先４０を引っ掛け、さらに、リブ１３の無い側の指先４１はベーステープ２１部分をつまむ。このようにしてベーステープ１１、２１をつまんだ後は、そこから左右に開くようにしてジッパー１のオス条１２とメス条２２の咬合をはずすと、包装用袋２を開封することができる。
【図面の簡単な説明】
【００２１】
【図１】（Ａ）はリブをオス条側に形成した本発明の実施形態に係るジッパーを示す断面図  （Ｂ）はリブをメス条側に形成した本発明の実施形態に係るジッパーを示す断面図
【図２】図１のジッパーを口内に取り付けた包装用袋の断面図
【図３】図１（Ａ）のジッパーを口内に取り付けた包装用袋の正面図
【図４】図２、３の包装用袋において、ジッパーを開封している状態の説明図
【図５】従来のジッパー付き包装用袋の説明図
【図６】従来のジッパー付き包装用袋において、開口部に指先を差し入れようとしている状態の説明図
【符号の説明】
【００２２】
１  ジッパー
２  包装用袋
１１  オス側ベーステープ
１２  オス条
１３  リブ
２１  メス側ベーステープ
２２  メス条
３０  包装用袋シート
３２  封止部
４０、４１  指先
【図１】
2007119037.tif 000003
【図２】
2007119037.tif 000004
【図３】
2007119037.tif 000005
【図４】
2007119037.tif 000006
【図５】
2007119037.tif 000007
【図６】
2007119037.tif 000008